(57)【要約】    【課題】      チャネルデコード処理をする部分を複数設ける必要がなく、回路規模が小さく、消費電力も少ない通信端末装置を提供すること。    【解決手段】  通信端末装置（ＭＳ）１００は、複数の基地局装置（ＢＳ１、ＢＳ２）の送信信号を受信する。ＢＳ選択部１０７は、いずれかのＢＳからの受信データを選択する。Ｒａｋｅ合成部１０８は、選択された受信データをＲａｋｅ合成する。チャネルデコード部１０９は、Ｒａｋｅ合成された受信データの誤り判定を行う。誤り率測定部１１０は、誤り判定結果を順次受けて、今受信中の例えばＢＳ１の受信データの誤り率を測定する。選択制御部１１２は、データ受信の誤り率が閾値を越えると、ＢＳ選択部１０７に切り替えを指示する制御信号を出力する。これに応じて、ＢＳ選択部１０７は、例えば他方のＢＳ２からの受信データを選択する。  【選択図】      図１
2006345439.tif 000002
【特許請求の範囲】
【請求項１】
複数の基地局装置からの受信信号を処理して基地局装置ごとに受信データを取得する受信信号処理手段と、
前記受信データのうちいずれか一つを選択する受信データ選択手段と、
選択された受信データの誤り判定を行うチャネルデコード手段と、
前記チャネルデコード手段による誤り判定結果に基づき、選択されている基地局装置からの受信データ誤り率を測定する誤り率測定手段と、
前記誤り率に応じて前記受信データ選択手段を制御する選択制御手段と、
を有する通信端末装置。
【請求項２】
前記受信信号処理手段の前記処理結果に基づき、前記基地局装置ごとに受信レベルを取得する受信レベル取得手段と、
前記選択制御手段は、前記受信レベル取得手段からの受信レベル信号と誤り率測定手段からの受信データ誤り率信号とを受け、前記受信データ選択手段を制御する請求項１に記載の通信端末装置。
【請求項３】
複数の基地局装置からの受信信号を処理して基地局装置ごとに受信データを取得する受信信号処理ステップと、
前記受信データのうちいずれか一つを選択する受信データ選択ステップと、
選択された受信データの誤り判定を行うチャネルデコードステップと、
前記チャネルデコードステップによる誤り判定結果に基づき、選択されている基地局装置からの受信データ誤り率を測定する誤り率測定ステップと、
前記誤り率に応じて前記受信データ選択ステップを制御する選択制御ステップと、
を有する通信端末装置の制御方法。
【発明の詳細な説明】
【技術分野】
【０００１】
本発明は、複数の基地局装置から送信された同一のデータの受信する通信端末装置およびその制御方法に関するものである。
【背景技術】
【０００２】
従来、複数の基地局装置から送信された同一のデータを受信する方法については、３ＧＰＰ（3rd Generation Partnership Project）において種々提案されている。例えば、非特許文献１、２においては、チャネルデコード部を複数ブロック設け、各ブロックが複数の基地局装置（以下、必要に応じ「ＢＳ」と記載する。）からの受信信号を処理するようになっている。具体的には、通信端末装置が認識している基地局装置のうち、いくつかの基地局装置から送信される信号をすべて同時に受信し、チャネルデコード部にて受信データの復号処理を行い、処理実施後にそれぞれの受信データ内に含まれるシーケンス番号等を認識することで受信データの選択を行う選択合成処理を行っている。
【非特許文献１】3GPP TSG-RAN WG2 ♯4１  Tdoc R2-040434 [Malaga、 Spain、 １6th - 20th February 2004]  Agenda item:１0． 2．１  Title:RLC SN based Selective Combining、 Architecture
【非特許文献２】3GPP TSG-RAN WG2 ♯4１  Tdoc R2-040435 [Malaga、 Spain、 １6th - 20th February 2004]  Agenda item:１0． 2．１  Title: RLC SN based Selective Combining、 Operation
【発明の開示】
【発明が解決しようとする課題】
【０００３】
しかしながら、従来のような複数の基地局装置から送信された同一データの受信方法では、チャネルデコード処理を行うためチャネルデコード部は複数ブロック分必要とするため回路規模および消費電力が増加する。または、１つのチャネルデコード部のみで実現する場合には、高速な処理クロックを使用して基地局装置毎に時分割で動作させる必要があるため、回路規模は縮小できるが消費電力が増大する。
【０００４】
本発明はかかる点に鑑みてなされたものであり、チャネルデコード処理をする部分を複数設ける必要がなく、回路規模が小さく、消費電力も少ない通信端末装置およびその制御方法を提供することを目的とする。
【課題を解決するための手段】
【０００５】
かかる課題を解決するため、本発明の通信端末装置は、複数の基地局装置からの受信信号を処理して基地局装置ごとに受信データを取得する受信信号処理手段と、前記受信データのうちいずれか一つを選択する受信データ選択手段と、選択された受信データの誤り判定を行うチャネルデコード手段と、前記チャネルデコード手段による誤り判定結果に基づき、選択されている基地局装置からの受信データ誤り率を測定する誤り率測定手段と、前記誤り率に応じて前記受信データ選択手段を制御する選択制御手段と、を具備する構成を採る。
【０００６】
また、本発明の通信端末装置の制御方法は、複数の基地局装置からの受信信号を処理して基地局装置ごとに受信データを取得する受信信号処理ステップと、前記受信データのうちいずれか一つを選択する受信データ選択ステップと、選択された受信データの誤り判定を行うチャネルデコードステップと、前記チャネルデコードステップによる誤り判定結果に基づき、選択されている基地局装置からの受信データ誤り率を測定する誤り率測定ステップと、前記誤り率に応じて前記受信データ選択ステップを制御する選択制御ステップと、を具備する構成を採る。
【発明の効果】
【０００７】
本発明によれば、チャネルデコード手段は一つの基地局装置分のみ設ければよいので通信端末装置の回路規模を大幅に削減可能である。また、動作中も選択された基地局装置の受信信号のみを復号処理するため消費電力が削減可能である。
【発明を実施するための最良の形態】
【０００８】
以下、本発明の実施の形態について図面を参照して詳細に説明する。
【０００９】
（実施の形態１）
図１に本発明の実施の形態１に係る通信端末装置（以下、必要に応じて単に「ＭＳ」と略称する。）のブロック図である。通信端末装置（ＭＳ）１００は、複数の基地局装置（ＢＳ）とアンテナ１０１によって無線通信を行う。なお、複数のＢＳのうち、図１に示すＢＳ１およびＢＳ２の二つの基地局装置が処理対象として存在するものとして、実施の形態１に係る通信端末装置（ＭＳ）１００について説明する。
【００１０】
また、通信端末装置（ＭＳ）１００は、アンテナ１０１と、高周波処理部１０２と、アナログベースバンド処理部１０３と、パスサーチ部１０４と、フィンガ部１０５−１〜１０５−ｎおよびフィンガ部１０６−１〜１０６−ｍと、ＢＳ選択部１０７と、Ｒａｋｅ合成部１０８、チャネルデコード部１０９と、誤り率測定部１１０と、上位レイヤ部１１１と、選択制御部１１２とから主に構成される。
【００１１】
アンテナ１０１は、ＢＳ１ないしＢＳ２が送信する無線信号を受信する。高周波処理部１０２は、受信した無線信号を高周波処理し、アナログベースバンド処理部１０３に信号を出力する。これを受けて、アナログベースバンド処理部１０３は、ベースバンド信号をパスサーチ部１０４と、フィンガ部１０５−１〜１０５−ｎおよびフィンガ部１０６−１〜１０６−ｍとに出力する。
【００１２】
パスサーチ部１０４は、アナログベースバンド処理部１０３の出力信号を受けて、ＢＳ１およびＢＳ２の遅延プロファイルを作成し、フィンガ部１０５−１〜１０５−ｎおよびフィンガ部１０６−１〜１０６−ｍに対し有効パスを指定する。フィンガ部１０５−１〜１０５−ｎおよびフィンガ部１０６−１〜１０６−ｍは、アナログベースバンド処理部１０３からのベースバンド信号を逆拡散し、ＢＳ１およびＢＳ２についての逆拡散信号を得る。このように図１においては、フィンガ部１０５−１〜１０５−ｎおよびフィンガ部１０６−１〜１０６−ｍは、ＢＳ１からの受信信号を逆拡散するフィンガ部１０５−１〜１０５−ｎと、同様にＢＳ２に対応しているフィンガ部１０６−１〜１０６−ｍとの二組に分けられている。なお、これら逆拡散信号を得るまでの処理は、複数の基地局装置がフィンガ部を共用する場合も可能であり、これは従来周知・慣用の方法により実現できるので詳細な説明は行わない。
【００１３】
ＢＳ選択部１０７は、後述する選択基準に基づき、ＢＳ１に対応するフィンガ部１０５−１〜１０５−ｎからの受信データ、あるいはＢＳ２に対応するフィンガ部１０６−１〜１０６−１〜ｍからの受信データのいずれかを選択し、Ｒａｋｅ合成部１０８に出力する。Ｒａｋｅ合成部１０８は、選択されたＢＳについての逆拡散信号をＲａｋｅ合成して、受信データを得、チャネルデコード部１０９に出力する。
【００１４】
チャネルデコード部１０９は、受信データが誤りなく受信したか否かの誤りチェックを行う。例えば、受信データを所定単位でブロック化し、受信データブロックに関してＣＲＣ（Cyclic Redundancy Check：巡回冗長検査）判定を行う。誤りチェックの判定結果は、誤り率測定部１１０に出力される。また、誤りが無いことが確認された受信データは、ブロック単位で上位レイヤ部１１１に出力される。一方、誤りが検出された受信データは、チャネルデコード部１０９がブロック単位で廃棄処理し、上位レイヤ部１１１には出力しない。以下、所定単位でブロック化された受信データを、必要に応じ受信データブロックと呼ぶ。
【００１５】
上位レイヤ部１１１は、チャネルデコード部１０９から入力された受信データをブロック単位で順次蓄積するとともに、受信データに対して、後述する選択合成処理やデータ補間処理など上位レイヤとして必要な処理を行って出力データを得る。
【００１６】
誤り率測定部１１０は、チャネルデコード部１０９での判定結果を順次受け、データ受信中の基地局装置からの受信データの誤り率を測定する。
【００１７】
選択制御部１１２は、誤り率測定部１１０が出力する誤り率信号を受けて、誤り率が所定閾値超えるか否かを判定し、判定結果を制御信号としてＢＳ選択部１０７に出力する。この判定結果を受けて、ＢＳ選択部１０７は、現在データ受信中の基地局装置からデータ受信を継続するか、他の基地局装置に切り替えるかを決定する。
【００１８】
図２は、本実施の形態に係る通信端末装置（ＭＳ）１００の動作を説明するタイミング図である。図２は、図１のＭＳ１００の各部の動作を時系列に示してある。
【００１９】
図２中矩形内に示した「９」ないし「１７」は、前述した受信データブロックを略記して示している。すなわち図２は、ＢＳ１に対応する「フィンガ部１０５−１〜１０５−ｎ」は、「９」ないし「１７」で図示する受信データブロックを受信中であることを表している。同様に、図２の「フィンガ部１０６−１〜１０６−ｎ」は、ＢＳ２に関しては受信データブロック「５」ないし「１３」をＭＳが受信中であることを表している。すなわち、図２で示す場合にあっては、ＢＳ１とＢＳ２が送信する信号には、受信のタイミング差として４単位の受信データブロック長であり、ＢＳ１が先行して送信している。
【００２０】
図２において、「誤り率情報」は、誤り率測定部１１０が算出する誤り率と、誤り率が所定の閾値を越える様子を図示している。同様に、「Ｒａｋｅ合成結果」は、Ｒａｋｅ合成部１０８の出力を、受信データブロック単位で示している。
【００２１】
同様に、図２において、「チャネルデコード処理結果」は、チャネルデコード部１０９の上位レイヤ部１１１に対する出力を、受信データブロック単位で示している。また、この「チャネルデコード処理結果」は、×印で示す受信データブロック「１１」の受信結果が誤りであったことを示している。
【００２２】
従って、受信データブロック「１１」は、上位レイヤ部１１１に出力されない。この様子を、図２の「上位レイヤへの転送結果」のチャート前半部では受信データブロック「１１」が抜けていることで示してある。また、この「上位レイヤへの転送結果」のチャート後半部では、抜けた受信データブロック「１１」が補間処理される様子を図示している。
【００２３】
図２の最下段には、処理の進行を説明するため必要な、タイミングを示すため時刻情報を図示してある。
【００２４】
次に実施の形態１に係るＭＳ１００の動作を説明する。今最初は、ＭＳ１００は、ＢＳ１の送信信号を受信していたとする。この場合、ＢＳ１からの受信データブロック「９」と「１０」は誤り無く受信され、Ｒａｋｅ合成部１０８、チャネルデコード部１０９を介して、時刻１および時刻２に上位レイヤ部１１１に順次転送され蓄積される。
【００２５】
次の受信データブロック「１１」については、チャネルデコード部１０９で誤りが検出されたことに伴い廃棄処理がされて、時刻３では、チャネルデコード部１０９は受信データを上位レイヤ部１１１に転送しない。
【００２６】
受信データブロック「１１」で誤りが検出されたことに伴い、誤り率測定部１１０が出力する誤り率情報の値が閾値を越えると、選択制御部１１２は切り替え制御信号をＢＳ選択部１０７に出力する。以降は、ＭＳ１００はＢＳ２の送信信号を受信処理する。
【００２７】
これに伴い、時刻４、５、６においては、ＢＳ２から受信データブロック「８」「９」「１０」が誤り無く受信され、上位レイヤ部１１１に転送される。しかしこれらの受信データブロックについては、ＢＳ１から取得済であるので、上位レイヤ部１１１は、廃棄する。この様子を図２の「上位レイヤへの転送結果」に受信データブロックの番号を鎖線で囲んで示す。
【００２８】
次に時刻７においては、先行するＢＳ１からは正しく受信できなかった受信データブロック「１１」がＢＳ２から受信され、チャネルデコード部１０９は、該当受信データは上位レイヤ部１１１に転送する。これに伴い、上位レイヤ部１１１は、受信データブロック「１１」に関する補間処理を行う。
【００２９】
この様にして受信データブロック「１１」を含む一連の受信データが取得され、さらに図２の時刻８、９で示す後続の受信データブロック「１２」、「１３」も取得され一固まりのデータが出力データとして取得されると、上位レイヤ部１１１は、例えば外部への出力処理を行う。
【００３０】
以上のように実施の形態１によれば、チャネルデコード部を複数も受ける必要がないので、通信端末装置の回路規模を小さくし、またその消費電力も少なくすることができる。
【００３１】
（実施の形態２）
次に本発明の実施の形態２に係る通信端末装置（ＭＳ）について説明する。図３は、実施の形態２に係るＭＳのブロック図である。図４は、本実施の形態に係るＭＳの動作を説明するタイミング図である。図３、図４においては、図１および図２と同一部分については、同じ参照番号を付して詳しい説明は省略する。
【００３２】
本実施の形態に係るＭＳ３００は、図１に比べて、フィンガ部１０５−１〜１０５−ｎおよびフィンガ部１０６−１〜１０６−ｍにて受信した共通パイロットチャネルやパイロットシンボルから得られた受信レベル情報を取得する受信レベル取得部３１３が付加されている点に特徴がある。これに応じて選択制御部３１２は、誤り率測定部１１０からの誤り率信号に加えて、受信レベル取得部３１３からの受信レベル信号も受け、両信号に基づきＢＳ１またはＢＳ２の選択信号をＢＳ選択部１０７に出力する。
【００３３】
次に、図４に基づき、実施の形態２に係るＭＳ３００の動作を説明する。図４において図２と同様部分については当業者にとって容易に理解ができるので説明を簡単とし、差異がありこの実施の形態を理解するのに重要な部分を詳しく説明する。
【００３４】
すなわち、図４においては、「チャネルデコード処理結果」で「×」で示すように、受信データブロック「１０」、「１５」、「１９」、「２０」で受信誤りが発生したことを示している。このような受信結果に対応するＢＳ１およびＢＳ２の受信レベルは、図４に「受信レベル情報」としてある。すなわち、図４の「受信レベル情報」において、その上段部に囲んで示す[lr１-９]、[lr１-１0]・・・は、ＢＳ１の受信データブロック「９」の受信レベル、ＢＳ１の受信データブロック「１０」の受信レベルをそれぞれ模式的に示す。同様に下段部の[lr２-５][lr２−６]・・・は、ＢＳ２の受信データブロック「５」、ＢＳ２の受信データブロック「６」を示している。また、図４の「受信レベル情報」中段の「∨」、「∧」は、ＢＳ１、ＢＳ２のいずれが受信レベルが良好か、具体的には受信レベルの大小を示す。
【００３５】
以上を前提に、図４に基づき、本実施の形態に係るＭＳ３００の動作を説明する。
【００３６】
時刻１のとき受信レベル取得部３１３で得られた受信レベル情報(ＢＳ１受信レベル[lr１−９]＞ＢＳ２受信レベル[lr２−５])と誤り率測定部１１０で得られた誤り率情報(閾値＞ＢＳ１誤り率)に従い、ＢＳ選択部１０７はＢＳ１の受信信号を選択し、以下チャネルデコード部１０９、上位レイヤ部１１１で実施の形態１の場合と同様の動作がなされ、上位レイヤ部１１１には受信データブロック「９」が蓄積される。
【００３７】
以下時刻２からの動作を説明する。なお、ここでは、各現時刻で選択中のＢＳ受信レベルが非選択のＢＳ受信レベルより小さくなった時に、一単位の時刻前（以下、必要に応じ「現時刻−１」と表す。）の選択中のＢＳの誤り率が閾値より大きければ、選択制御部３１２は、切り替え制御信号をＢＳ選択部１０７に出力する。すなわち、選択制御部３１２は、選択中ＢＳの誤り率が閾値を超えると単純にＢＳの切り替えを行うのではなく、切り替え候補である他のＢＳの受信レベルが現時点選択中のＢＳ受信レベルより良好である場合に、切り替えを指令することとなる。すなわち、このような切り替え制御のアルゴリズムを選択制御部３１２に組み込むことにより、本実施の形態は、実施の形態１の場合に比べて、現時点でのＢＳ選択を継続する傾向が強くなるよう設定している。
【００３８】
すなわち、図４に基づき説明すると、時刻２のとき(ＢＳ１受信レベル[lr１-１0]＞ＢＳ２受信レベル[lr2-6]、閾値＜ＢＳ１誤り率)以降、時刻３のとき(ＢＳ１受信レベル[lr１-１１]＞ＢＳ２受信レベル[lr2-7]、閾値＞ＢＳ１誤り率)、時刻４のとき(ＢＳ１受信レベル[lr１-１2]＜ＢＳ２受信レベル[lr2-8]、閾値＞ＢＳ１誤り率)、時刻５のとき(ＢＳ１受信レベル[lr１-１3]＜ＢＳ２受信レベル[lr2-9]、閾値＞ＢＳ１誤り率)、時刻６のとき(ＢＳ１受信レベル[lr１-１4]＞ＢＳ２受信レベル[lr2-１0]、閾値＞ＢＳ１誤り率)、時刻７のとき(ＢＳ１受信レベル[lr１-１5]＜ＢＳ２受信レベル[lr2-１１]、閾値＞ＢＳ１誤り率)、時刻８のとき(ＢＳ１受信レベル[lr１-１6]＞ＢＳ２受信レベル[lr2-１2]、閾値＞ＢＳ１誤り率)、時刻９のとき(ＢＳ１受信レベル[lr１-１7]＞ＢＳ２受信レベル[lr2-１3]、閾値＞ＢＳ１誤り率)、時刻１０のとき(ＢＳ１受信レベル[lr１-１8]＜ＢＳ２受信レベル[lr2-１4]、閾値＞ＢＳ１誤り率)、時刻１１のとき(ＢＳ１受信レベル[lr１-１9]＜ＢＳ２受信レベル[lr2-１5]、閾値＞ＢＳ１誤り率)、時刻１２のとき(ＢＳ１受信レベル[lr１-20]＜ＢＳ２受信レベル[lr2-１6]、閾値＜ＢＳ１誤り率)もそれぞれＢＳ１の選択が継続される。
【００３９】
この場合、受信データブロック「１０」、「１５」、「１９」、「２０」はチャネルデコード部１０９の処理結果が誤りありであったため上位レイヤ部１１１へは転送されない。他方受信データブロック「１１」、「１２」、「１３」、「１４」、「１６」、「１７」、「１８」は誤りが無く上位レイヤ部１１１へ転送される。
【００４０】
次に時刻１３のとき受信レベル取得部３１３で得られた受信レベル情報(ＢＳ１受信レベル[lr１-2１]＜ＢＳ２受信レベル[lr2-１7])からＢＳ２の受信レベルが良好であることが検出され、かつ「現時刻−１」である時刻１２おける誤り率測定部１１０で得られたＢＳ１誤り率＞閾値が検出されると、これらを受けて選択制御部３１２は、切り替え制御信号をＢＳ選択部１０７に出力する。これに応じて、ＢＳ選択部１０７ではＢＳ２の受信信号を選択してＲａｋｅ合成部１０８に出力する。このようにして時刻１３では、ＢＳ２からの信号が選択され、図４に示すように、チャネルデコード部１０９では誤り検出されないので、チャネルデコード部１０９は該当受信データブロック「１７」を上位レイヤ部１１１へ転送する。ここで上位レイヤ部１１１に転送された受信データブロック「１７」のデータはすでにＢＳ１から転送されているため廃棄される。
【００４１】
時刻１４のとき(ＢＳ１受信レベル[lr１-22]＜ＢＳ２受信レベル[lr2-１8]、閾値＞ＢＳ２誤り率)、時刻１５のとき(ＢＳ１受信レベル[lr１-23]＜ＢＳ２受信レベル[lr2-１9]、閾値＞ＢＳ２誤り率)、時刻１６のとき(ＢＳ１受信レベル[lr１-24]＜ＢＳ２受信レベル[lr2-20]、閾値＞ＢＳ２誤り率)、時刻１７のとき(ＢＳ１受信レベル[lr１-25]＞ＢＳ２受信レベル[lr2-2１]、閾値＞ＢＳ２誤り率)、時刻１８のとき(ＢＳ１受信レベル[lr１-26]＞ＢＳ２受信レベル[lr2-22]、閾値＞ＢＳ２誤り率)もそれぞれＢＳ２が選択され、チャネルデコードした結果がエラーでなかったためチャネルデコード部１０９は、受信データブロック「１８」、「１９」、「２０」、「２１」、「２２」を上位レイヤ部１１１へ転送する。ここで上位レイヤ部１１１に転送された受信データブロック「１８」のデータはすでにＢＳ１から受信して転送されているため廃棄される。受信データブロック「１９」はＢＳ１ではデータがエラーのため上位レイヤ部１１１に転送されていないためＢＳ２から転送された受信データブロック「１９」のデータにより補う。
【００４２】
この様にして受信データブロック「１９」を含む一連の受信データが取得され、さらに図４の時刻１６、１７、１８で示す後続の受信データブロック「２０」、「２１」、「２２」も取得され一固まりのデータが出力データとして取得されると、上位レイヤ部１１１は出力データを図示しない出力部に出力し、出力部は出力処理を行う。また、誤りのないデータの受信が継続すると、図４の「誤り率情報」の後部で示すように、誤り率は低下し、良好になっていく。
【００４３】
なお、図４において「上位レイヤ処理への転送結果」で示すように、受信データブロック「１０」、「１５」は補うことができないが、これに対しては別の第３の基地局装置（ＢＳ３）があればＢＳ３からのデータで補ったり、あるいは、ＭＳが所定のＢＳに再送依頼をする制御を行って再送データで補間処理を行う。データ再送による補間処理自体は従来周知・慣用技術で実現できるので、詳細説明は行わない。
【００４４】
このように実施の形態２によれば、通信誤り率に加えて、切り替え候補のＢＳを含めて受信レベルも合わせて切り替え制御を行い、誤り率が閾値を超えた場合も切り替え候補の受信レベルが現在選択中のＢＳの受信レベルより良好ではない場合には、ＢＳ切り替えを行わない。従って、例えば全般的に通信条件が悪く良好な通信が期待できない場合に、ＢＳの選択切り替えが頻発する不具合を抑制できる。
【産業上の利用可能性】
【００４５】
本発明は、複数のＢＳからのデータを選択合成して高品質のデータ受信為の動作を低消費電力で実現できるので、携帯電話装置など通信端末装置に用いるのに好適である。
【図面の簡単な説明】
【００４６】
【図１】本発明の実施の形態１に係る通信端末装置のブロック図
【図２】本発明の実施の形態１に係る通信端末装置の動作を説明するためのタイミング図
【図３】本発明の実施の形態２に係る通信端末装置のブロック図
【図４】本発明の実施の形態２に係る通信端末装置の動作を説明するためのタイミング図
【符号の説明】
【００４７】
１００、３００  通信端末装置
１０５−１〜１０５−ｎ、１０６−１〜１０６−ｍ  フィンガ部
１０７  ＢＳ選択部
１０８  Ｒａｋｅ合成部
１０９  チャネルデコード部
１１０  誤り率測定部
１１１  上位レイヤ部
１１２、３１２  選択制御部
３１３  受信レベル取得部
ＢＳ１、ＢＳ２  基地局装置
【図１】
2006345439.tif 000003
【図２】
2006345439.tif 000004
【図３】
2006345439.tif 000005
【図４】
2006345439.tif 000006